(57)【要約】      （修正有）【課題】冷却モジュールとしてペルチェ素子を用いるに当たり、放熱側の冷却方式を水冷式とし、その冷却水を生け花の生育水として利用する花生け装置を提供する。【解決手段】花瓶１と、この花瓶１と接続した貯水タンク２と、この貯水タンク２から前記花瓶１に給水するポンプ３とを備え、前記花瓶１の内部を、ペルチェ素子４ｂの吸熱面及び放熱面を伝熱板で水密に被覆してなる仕切り板４によって二室に区画し、前記ペルチェ素子４ｂの吸熱面が面する一室を挿花部５とすると共に、前記放熱面が面する他室を当該放熱面の水冷部６とした。貯水タンク２は挿花部５と水冷部６それぞれに接続し、ポンプ３によって、前記挿花部５に対して給水すると共に、前記水冷部６から冷却水を放熱させる熱交換部を介して取水することがある。【選択図】図１
2015023947.tif 000002
【特許請求の範囲】
【請求項１】
花瓶と、
この花瓶と接続した貯水タンクと、
この貯水タンクから前記花瓶に給水するポンプとを備え、
前記花瓶の内部を、
ペルチェ素子の吸熱面及び放熱面を伝熱板で水密に被覆してなる仕切り板によって二室に区画し、
前記ペルチェ素子の吸熱面が面する一室を挿花部とすると共に、前記放熱面が面する他室を当該放熱面の水冷部とすることを特徴とした花生け装置。
【請求項２】
貯水タンクは挿花部と水冷部それぞれに接続し、ポンプによって、前記挿花部に対して給水すると共に、前記水冷部から冷却水を放熱させる熱交換部を介して取水する請求項１記載の花生け装置。
【請求項３】
貯水タンクと挿花部とを接続してポンプにより前記挿花部に対して給水する給水機構を構成する一方、当該給水機構とは別に、水冷部の冷却水を熱交換部を介して放熱させる前記冷却水の冷却機構を設けた請求項１記載の花生け装置。
【請求項４】
熱交換部は曝気装置である請求項２または３記載の花生け装置。
【請求項５】
複数のペルチェ素子を配列した仕切り板を縦にして、花瓶の内部を挿花部と水冷部とが左右隣接するように区画した請求項１から４のうち何れか一項記載の花生け装置。
【請求項６】
貯水タンクと挿花部間の給水路に磁界を形成する磁石を設けた請求項１から５のうち何れか一項記載の花生け装置。
【発明の詳細な説明】
【技術分野】
【０００１】
この発明は、花を生ける水をペルチェ素子によって冷却して花を延命する花生け装置に関するものである。
【背景技術】
【０００２】
一般に生け花は水の温度が上がると寿命が短くなる。そこで水の温度上昇を抑制して生け花を延命するために、ペルチェ素子で水を冷却する構造の花器が提案されている（特許文献１・２等）
【先行技術文献】
【特許文献】
【０００３】
【特許文献１】特開平１０−５２３４６号公報
【特許文献２】特開２００４−５００９２７号公報
【発明の概要】
【発明が解決しようとする課題】
【０００４】
ペルチェ素子では、吸熱側の冷却効率を安定させるために、放熱側を冷却する必要がある。しかし、特許文献１・２の装置は大気中に放熱するものであるから、放熱側の冷却が十分ではない。しかも、この放熱によって装置周辺の気温が上昇し、生け花の水を上昇させるという悪循環のおそれもある。
【０００５】
また生け花の水は花が吸水したり蒸発等により減水していくが、特許文献１・２の装置は新鮮な水を補充する機能も有しない。
【０００６】
本発明は上述した課題に鑑みなされたもので、その目的とするところは、冷却モジュールとしてペルチェ素子を用いるに当たり、放熱側の冷却方式を水冷式とし、その冷却水を生け花の生育水として利用する花生け装置を提供することである。
【課題を解決するための手段】
【０００７】
上述した目的を達成するために本発明では、花瓶と、この花瓶と接続した貯水タンクと、この貯水タンクから前記花瓶に給水するポンプとを備え、前記花瓶の内部を、ペルチェ素子の吸熱面及び放熱面を伝熱板で水密に被覆してなる仕切り板によって二室に区画し、前記ペルチェ素子の吸熱面が面する一室を挿花部とすると共に、前記放熱面が面する他室を当該放熱面の水冷部とするという手段を用いる。
【０００８】
上記手段において花瓶の挿花部は花を生ける部分であり、水冷部はペルチェ素子（の放熱側）を冷却する部分である。これら挿花部、水冷部それぞれには水が入れられ、挿花部の水は花を生育するのに利用し、水冷部の水はペルチェ素子の冷却水として機能する。挿花部の水は、ペルチェ素子の吸熱作用によって冷却され、夏場などの外気温が高い場合でも冷水に保持する。このため、ぬるい水で生育するよりも花の寿命が長くなる。そして、ペルチェ素子は、その放熱側が水冷部によって冷却されるため、単に大気に放熱するよりも冷却効率が高く、ペルチェ素子の吸熱効率が維持され、挿花部の水の冷却効率も安定する。
【０００９】
貯水タンクは花瓶に給水する水を貯留しておくもので、花が吸水したり蒸発したりして自然に減水する挿花部に水を補給することができる。この間、せっかく生けた花に一切手を触れることなく、水を補給することができる。なお、花瓶の水冷部にも貯水タンクから給水できることはもちろんである。
【００１０】
特に、貯水タンクは挿花部と水冷部それぞれに接続し、ポンプによって、前記挿花部に対して給水すると共に、前記水冷部からは取水するように接続することで、挿花部に対しては新鮮な水を供給できると共に、ペルチェ素子の放熱により水温が上昇した水冷部の水を回収し、貯水タンクの水と入れ替えることができる。
【００１１】
なお、水冷部から回収した水をそのまま貯水タンクに入れると貯水タンクの水温を上昇させる要因となり、これを挿花部や水冷部に給水することは望ましくないため、貯水タンクと水冷部間の接続経路には熱交換部を設けておく。熱交換部は水冷部の水が通過する際、放熱する構造のものであれば、放熱フィンを有する通水管等、従来公知のものを採用することができるが、曝気装置であることが好ましい。曝気によって水冷部の水を空冷で冷却する際、溶解酸素濃度を高め、その後、挿花部に良質の水を給水することが可能となるからである。特に貯水タンクと挿花部とを接続してポンプにより前記挿花部に対して給水する給水機構を構成する一方、当該給水機構とは別に、水冷部の冷却水を熱交換部を介して放熱させる前記冷却水の冷却機構を設けることで、ペルチェ素子による挿花部の冷却と、熱交換部による水冷部の冷却水の冷却を効率的に行うことができる。
【００１２】
一方、花瓶の内部を挿花部と水冷部に区画する仕切り板は、複数のペルチェ素子が配列され、この仕切り板を縦にして、花瓶の内部を挿花部と水冷部とが左右隣接するように区画することが好ましい。複数のペルチェ素子を配列した仕切り板を縦に設置することで、挿花部や水冷部がどのような水位にあっても必ずペルチェ素子の吸熱面および放熱面が接水し、挿花部の水の冷却機能及び水冷部の水によるペルチェ素子の冷却機能が得られるからである。
【００１３】
また、ペルチェ素子の機能面両面（吸熱面と放熱面）を伝熱板で密封することで、挿花部や水冷部に、より直接的に吸熱と放熱を行うことができる。この伝熱板は、金属板であることが好ましいが、特に銅板であれば熱伝導率が高く、また銅成分が水に作用して植物の生育に有効な水に改質することも期待される。
【００１４】
さらに、貯水タンクと挿花部間の給水路に磁界を形成する磁石を設けることで、挿花部への給水を磁化し、この磁化水によって植物の延命効果を期待することができる。
【発明の効果】
【００１５】
本発明によれば、花に与える水をペルチェ素子で冷却するのと並行して、このペルチェ素子そのものを水で冷却するため、ペルチェ素子の冷却効率が安定する。しかも、貯水タンクから花瓶に給水するため、長期間、花をメンテナンスフリーで生育することができる。
【図面の簡単な説明】
【００１６】
【図１】本発明の一実施形態に係る花生け装置の全体概略図
【図２】同、仕切り板の説明図
【図３】本発明の第二実施形態に係る花生け装置の全体概略図
【発明を実施するための形態】
【００１７】
以下、本発明の好ましい実施の形態を添付した図面に従って説明する。図１は、本発明の一実施形態を示した花生け装置の全体概略図であり、図中、１は花瓶、２は貯水タンク、３はポンプである。花瓶１と貯水タンク２はポンプ３を介して接続している。
【００１８】
花瓶１は、その内部を仕切り板４によって挿花部５と水冷部６の二室に区画している。何れの区画にも水を溜めるのであるが、挿花部５には花を生ける。なお、挿花部５と水冷部６は左右に隣接するように区画しているが、これは一例であって、仕切り板４の形状を円形とすれば、ドーナツ状の区画となり、その内側を挿花部、外側を水冷部とするようなレイアウトに変更することもできる。また、花瓶１の底部には、挿花部５のドレン口５ａを開閉自在に設けることもある。
【００１９】
仕切り板４は、この実施形態において図２に示すように、縦長の銅板４ａに直列接続のペルチェ素子４ｂの群を縦方向に二列に配列したものであり、その側枠４ｃをプラスチックで成型すると共に、反対面を極薄の銅板４ｄで被覆することで、ペルチェ素子４ｂの群を水密にモジュール化したものである。
【００２０】
ペルチェ素子４ｂは、電流の向きに応じて、片面が吸熱側、反対面が放熱側となるが、この実施形態では放熱側を極薄の銅板４ｄで被覆している。比較的厚みのある表側の銅板４ａによって吸熱効率が高まると同時に、極薄の銅板４ｄによって放熱側の放熱効率が高まるからである。
【００２１】
そして仕切り板４は、吸熱側が挿花部５、放熱側が水冷部６にそれぞれ面するように花瓶１に設置される。このような構造によって、挿花部５の水がペルチェ素子４ｂの吸熱によって冷却され、気温が高いスペースに置いても、その冷水によって花を延命させることができる。また、ペルチェ素子４ｂは放熱側が水冷部５と面しており、当該水冷部５の水によってペルチェ素子４ｂの放熱側が冷却され、吸熱側（挿花部５）の冷却効率が安定する。
【００２２】
特に、この実施形態のように、仕切り板４を縦に設置することで、挿花部５や水冷部６の水位が変化しても、縦２列に配列した複数のペルチェ素子４ｂの吸熱側と放熱側がともに必ず挿花部５や水冷部６の水と接することになって、安定した冷却効率とすることができる。さらに、ペルチェ素子４ｂを等間隔に配列することで、吸熱と放熱とを均一に作用させることができる。
【００２３】
一方、挿花部５の水が花の吸水や蒸発等により減水した場合には、ポンプ３を稼働して貯水タンク２の水を挿花部５に給水することができる。給水タイミングは、挿花部５に水位計（図示せず）を設置しておき、あるレベルまで水位が下がれば自動的にポンプ３を稼働して給水を開始すると共に、水位が復帰したならば自動的にポンプ３を停止するといった制御により行われる。
【００２４】
また、この実施形態では、水冷部６を貯水タンク２と接続し、ペルチェ素子４ｂの放熱により温まった水を貯水タンク２に回収するようにしている。これと同時に、貯水タンク２の水を水冷部６に供給し、水冷部６の水を入れ替えることで、水冷部６の水温をも安定させている。このような制御は、水冷部６に水温計（図示せず）を設置しておき、あるレベルまで水温が上がったならば、ポンプ３を循環ポンプとして自動駆動して、上述した水の入れ替えを行う。
【００２５】
さらに、この実施形態では、貯水タンク２に水冷部６との接続終端に位置して、水冷部６の冷却水の熱交換部として曝気装置７を設置し、水冷部６から回収する温まった水を放熱させている。この曝気装置７は、円筒状の本体７ａの側方に前記接続終端を接続すると共に、当該本体７ａの上面開口にファン７ｂを取付けた構造である。このような曝気装置７によれば、水冷部６からの水は本体７ａの内周面を伝うように渦巻き状に噴射され、そこにファン７ｂの風が当たって水を冷却する。このとき水が空気（ファン７ｂの風）と接触して溶解酸素濃度を高め、浄水作用も得ることができる。したがって、曝気後の水を挿花部５に給水すれば、適温で、しかも酸素濃度の高い良質の水を花に与えることができる。
【００２６】
ところで、仕切り板４を銅板とした場合、熱伝導率が高く、ペルチェ素子４ｂの吸熱・放熱効率が良好となる以外、その銅成分が挿花部５の水に溶け込むことによって、細菌の繁殖を防止し、花に好影響の水とすることが期待できる。
【００２７】
このような水の改質を期待する別の付加手段として、この実施形態では、挿花部５に貯水タンク２との接続終端に位置してリング状の磁石８を設けている。即ち、貯水タンク２から給水される水が磁石８の磁場を通る際、活性化され、このような活性水（磁化水）によって花の延命効果に寄与するものである。
【００２８】
図３は本発明の第二実施形態を示したもので、挿花部５の給水機構と、水冷部６の冷却水を曝気装置７を介して循環させる冷却機構とを別個独立に設けたものである。即ち、貯水タンク２は挿花部５に接続され、ポンプ３によって貯水タンク２の水を供給する一方、水冷部６は貯水タンク２と接続せず、冷却水を循環ポンプ９等で循環するようにし、当該循環経路中の曝気装置７によって冷却水を放熱させるようにしたものである。
【産業上の利用可能性】
【００２９】
本発明の花生け装置は、個人宅で利用することもできるが、店舗のショーウィンドウに飾る生け花に利用することで、水やりのために花を生け直すこともなく、長期間にわたってメンテナンスフリーの状態で生け花を鑑賞することができるようになる。
【符号の説明】
【００３０】
１  花瓶
２  貯水タンク
３  ポンプ
４  仕切り板
４ａ・４ｄ  銅板
４ｂ  ペルチェ素子
５  挿花部
６  水冷部
７  曝気装置
８  磁石
【図１】
2015023947.tif 000003
【図２】
2015023947.tif 000004
【図３】
2015023947.tif 000005